(57)【要約】【課題】台木や穂木の切断面を傷めることなくスムーズに内部に挿入でき、接木の作業性が向上する苗接木具を提供する。【解決手段】合わせ接ぎ用の苗接木具１は、弾性樹脂製の縦長筒状の本体２の内周２ａの上下端にラッパ状に拡径した上下の挿入口３，４が形成され、本体２の外周には平面視略Ｙ字状に一対の突片５，６が上下方向に形成され、突片のうち一方の突片６の外側付近の本体２には、本体２の内周２ａに達し本体２の上端から下端に至る縦割れ目７が形成されている。【選択図】図２
0003149398.tif 000002
【実用新案登録請求の範囲】
【請求項１】
弾性樹脂製の縦長筒状の本体の内周上下端にラッパ状に拡径した上下の挿入口が形成され、前記本体の外周には平面視略Ｙ字状に一対の突片が上下方向に形成され、該突片のうち一方の突片の外側付近の前記本体に、該本体の内周に達し該本体の上端から下端に至る縦割れ目が形成されていることを特徴とする苗接木具。
【請求項２】
前記一対の突片が、前記本体の上下方向全域に亘り一体形成されていることを特徴とする請求項１に記載の苗接木具。
【請求項３】
前記少なくとも本体は透明または半透明であることを特徴とする請求項１または請求項２に記載の苗接木具。
【考案の詳細な説明】
【技術分野】
【０００１】
本考案は、ナス，トマトなどの幼苗の接木具に関するものである。
【背景技術】
【０００２】
従来、特許文献１に開示されているような幼苗の接木具が存在する。
【先行技術文献】
【特許文献】
【０００３】
【特許文献１】実開平０６−００９４３４号公報
【考案の概要】
【考案が解決しようとする課題】
【０００４】
上記特許文献１に開示されている幼苗の接木具では、接木具の内周に下方側から台木になる苗を挿入しにくく、また、台木の切断面に一枚の葉を残した場合における台木への接木具の装着時の作業性が悪いという問題点があった。
【課題を解決するための手段】
【０００５】
本考案は、下方側および上方側からの接木具内周への苗の挿着が容易で、また、一枚の葉を残した台木への取り付け性が良好化する苗接木具の提供を目的とし、この目的の少なくとも一部を達成するために以下の手段を採った。
本考案の苗接木具は、弾性樹脂製の縦長筒状の本体の内周上下端にラッパ状に拡径した上下の挿入口が形成され、前記本体の外周には平面視略Ｙ字状に一対の突片が上下方向に形成され、該突片のうち一方の突片の外側付近の前記本体に、該本体の内周に達し該本体の上端から下端に至る縦割れ目が形成されていることを要旨とする。
【考案の効果】
【０００６】
本考案の苗接木具では、縦長筒状の本体の内周上下端にそれぞれラッパ状に拡径した挿入口が形成されているため、上下の挿入口からそれぞれ台木および穂木を良好に挿入して、台木と穂木を良好に接面させることができ、作業性が良好なものとなる。
また、台木の上端に葉を一枚残した場合には、一対の突片を指で握って縦割れ目を大きく開き、横方向から台木に対し良好に苗接木具の本体を嵌め込んで、縦割れ目に一枚の葉を入れ込むことができ、しかも、縦割れ目は一対の突片のうち一方の突片の外側付近に形成されているため、縦割れ目を開ける作業が良好に行え、また、一方の突片をガイドにして良好に苗接木具の本体を台木の外周に嵌め込むことができ、作業性が良好なものとなる。
【０００７】
また、本考案の苗接木具において、前記一対の突片が、前記本体の上下方向全域に亘り一体形成されているものとすることもできる。
こうすれば、一対の突片の上下方向寸法が大であるため、縦割れ目を開ける時に指で力を加えやすく、縦割れ目を開ける際の作業性が良好なものとなる。
【０００８】
また、本考案の苗接木具において、前記少なくとも本体は透明または半透明であるものとすることもできる。
こうすれば、苗接木具の本体内での台木と穂木の接合状態を外側から良好に確認することができ、確実に台木と穂木を接面させて両者を活着させることができるものとなる。
【図面の簡単な説明】
【０００９】
【図１】苗接木具の斜視構成図である。
【図２】苗接木具の異なる方向から視た斜視構成図である。
【図３】苗接木具の縦割れ目を開ける作業の説明図である。
【図４】縦割れ目を開けて台木に対し横方向から苗接木具を装着する状態の作業説明図である。
【図５】台木に装着した苗接木具に上側から穂木を差し込む状態の作業説明図である。
【図６】苗接木具の本体内での台木の上端の切断面と穂木の下端の切断面との接合状態を示す縦断面構成図である。
【考案を実施するための形態】
【００１０】
次に、本考案を実施するための形態を実施例を用いて説明する。
図１は、苗接木具の斜視構成図であり、図２は、苗接木具を異なる方向から視た斜視構成図である。
苗接木具１は、透明あるいは半透明のポリエチレン系樹脂素材で全体が形成されている。この苗接木具１は、縦長筒状の弾性を有する本体２と、一対の突片５，６を備えており、本体２内には、例えば１０．５４ｍｍ程度の高さ寸法を有する内周２ａが上下方向に形成されており、この内周２ａの内径は２ｍｍ程度に設定されている。また、本体２の外径寸法は例えば４ｍｍ程度に設定されており、本体２の全体高さ寸法は１４ｍｍ程度に設定されている。
【００１１】
この縦長筒状の本体２の上下端側には、ラッパ状に拡径した上挿入口３と下挿入口４が内周２ａと同軸連通状にそれぞれ形成されており、上挿入口３および下挿入口４の外端側の外径寸法は例えば５ｍｍ程度に設定され、上挿入口３および下挿入口４の外端側の内径寸法は４ｍｍ程度に設定されており、上挿入口３および下挿入口４は、それぞれ６０°の角度をなして内周２ａからラッパ状に外端側へ拡径した形状に形成されている。
この本体２の外周には、一対の左突片５と右突片６が９０°の角度をなして平面視略Ｙ字状に外側へ一体状に突出形成されている。この左突片５および右突片６は、それぞれ本体２の上端から下端に至る上下寸法に設定されている。
また、一方側の右突片６の外側付近の本体２には、本体２の上端から下端に至り、内周２ａまで達する上下方向の縦割れ目７が形成されている。
【００１２】
このような形状の苗接木具１は、野菜類の連作障害を回避して野菜が病気にかかりにくくするためや、高品質および収穫量の増加を図る目的で野菜類の幼苗を接木する際に用いられる。
苗接木具１は、上下端側にそれぞれ上挿入口３と下挿入口４がラッパ状に拡径して形成されているため、下側から下挿入口４に沿わせて台木１０の苗を内周２ａ内に挿入しやすいものであり、また、上方側から上挿入口３に沿わせて穂木１１の苗をスムーズに内周２ａ内に挿入させてゆくことができ、台木１０および穂木１１の切断面を傷めることなく、上下どちら側からでもスムーズに差し込みできるように構成されたものである。また、上下方向を気にすることなく反転させて使用することができる。
【００１３】
なお、台木１０の苗に切断面１０ａを形成する際に、切断面１０ａの位置にある葉１０ｂの一枚を残さないと生育が悪く活着が低下するものがあるが、このような場合には、一枚の葉１０ｂが残った台木１０を苗接木具１の本体２の下側から内周２ａ内に挿入することができないため、そのような場合には、図３に示すように、一対の左突片５と右突片６の外側に指を当てて、指で左突片５と右突片６を近接する方向に押圧すると、弾性により縦割れ目７が大きく開けられることとなり、縦割れ目７を大きく開いて、図４に示すように、台木１０の上端に形成される略３０°の切断面１０ａの上端に残った一枚の葉１０ｂを縦割れ目７内に配置するようにして、台木１０の茎の外周に本体２を横方向から嵌め付けることができる。この時に、右突片６をガイドにして、台木１０を大きく開いた縦割れ目７内を通し、本体の内周２ａに入れ込むことができ、右突片６が位置決め且つガイドの役目をなすため、作業性が良好化するものである。
【００１４】
このように縦割れ目７を大きく開けて本体２を台木１０の外周に嵌め込み、指を離すと弾性により本体２の内周２ａが台木１０の外周に良好に弾着されることとなる。
この状態で、穂木１１の下端に下傾状に略３０°の切断面１１ａを形成させておき、この切断面１１ａを本体２の上方の上挿入口３から下方へ押し込んで、穂木１１を本体２の内周２ａ内に押し込み、穂木１１の切断面１１ａを台木１０の上端の切断面１０ａに接面させて、良好に接木を行うことができ、この切断面１０ａと切断面１１ａの接合状態は、本体２が透明または半透明であるため外側から良好に確認することができ、確実に両者を接面させて、確実に活着させることができるものである。
なお、図６は、台木１０の切断面１０ａと穂木１１の切断面１１ａとの本体２内での接合状態を示している。
【００１５】
なお、台木１０としてはカボチャや夕顔などが挙げられ、また、穂木１１としてはトマト，ナス，ピーマン，キュウリ，メロン，スイカなどが挙げられ、これらの野菜類の連作障害を回避して収穫量の増加を接木により図ることができるものである。
【００１６】
なお、台木１０の上端に葉１０ｂを残さなくて良い場合には、縦割れ目７を少し開けるか、或いはそのままの状態にして、本体２に対し、下方側の下挿入口４から台木１０の上端の切断面１０ａを内周２ａ内に押し込んで良好に挿入することができ、また、本体２に対し、上挿入口３から穂木１１の切断面１１ａを下方側へ押し込んで本体の内周２ａ内に挿入することができ、穂木１１の切断面１１ａを内周２ａ内で台木１０の切断面１０ａに押し付けて接面させることができ、作業が容易なものとなり、接面状態を外側から良好に確認して接木作業を完了できるものである。
このように本体２の上下にラッパ状の挿入口３および４が形成されているため、内周２ａ側への苗の挿入が容易で、しかも切断面を傷めることがない。
【００１７】
なお、台木１０の切断面１０ａと穂木１１の切断面１１ａの接合部分の外周は、本体２の弾性により良好に把持された状態となり、縦割れ目７から葉が外側に良好に出た状態で把持されるものである。
なお、苗が成長し茎が太くなるにつれ、本体２の縦割れ目７も次第に弾性により広がってゆき、ついには、苗接木具１は苗から外れて地面に落ちるため、苗の生育を阻害することがなく、活着後に苗接木具１を外す手間も不要なものとなる。
【符号の説明】
【００１８】
１  苗接木具
２  本体
２ａ  内周
３  上挿入口
４  下挿入口
５  左突片
６  右突片
７  縦割れ目
１０  台木
１０ａ，１１ａ  切断面
１０ｂ  葉
１１  穂木
【図１】
0003149398.tif 000003
【図２】
0003149398.tif 000004
【図３】
0003149398.tif 000005
【図４】
0003149398.tif 000006
【図５】
0003149398.tif 000007
【図６】
0003149398.tif 000008